Podtech/llm-jp-corpus-v4-ja_patent huggingface dataset:
【手続補正書】
【提出日】平成29年3月24日(2017.3.24)
【手続補正１】
【補正対象書類名】特許請求の範囲
【補正対象項目名】全文
【補正方法】変更
【補正の内容】
【特許請求の範囲】
【請求項１】
円筒形の固定部と、前記固定部に対して回転可能な円筒形の可動部とを有する円筒形ワークを取り扱うロボットハンドであって、
前記固定部を挟むことにより前記円筒形ワークを把持する一組の指部と、
前記一組の指部のうち少なくとも１つに設けられ、前記一組の指部で前記円筒形ワークを把持している状態で前記可動部を前記固定部に対して回転させる回転機構と、を備える、ロボットハンド。
【請求項２】
前記回転機構は、前記一組の指部のうちの１つに設けられた駆動ローラを有し、前記駆動ローラを前記可動部の外周面に当接させた状態で回転させることで前記可動部を前記固定部に対して回転させるように構成される、請求項１に記載のロボットハンド。
【請求項３】
前記回転機構は、前記一組の指部に取り付けられ、前記可動部の外周面に当接した状態で前記可動部の回転に従って回転可能な１以上の従動ローラを有し、
前記駆動ローラ及び前記１以上の従動ローラは、互いに周方向に離れた位置で前記可動部に当接するように構成される、請求項２に記載のロボットハンド。
【請求項４】
前記円筒形ワークが、前記固定部としての固定筒と、前記可動部としての回転環であって変倍操作又は合焦操作を行うための回転環とを有するレンズ鏡筒である、請求項１乃至３のいずれか１項に記載のロボットハンド。
【請求項５】
請求項１乃至４のいずれか１項に記載のロボットハンドと、
前記ロボットハンドの動作を制御する制御装置と、を備え、
前記ロボットハンドの前記回転機構が、前記可動部を回転させるための動力を発生する回転アクチュエータを有し、
前記制御装置は、前記回転アクチュエータを動作させて前記可動部を回転させるときに、前記回転アクチュエータの電流値、前記回転アクチュエータの回転角度、又は、前記回転アクチュエータの回転角度の制御指令値と現在値との偏差に応じて前記可動部の動作が正常であるか否かを検査するように構成されている、ロボット。
【請求項６】
ロボットにより、円筒形の固定部、及び前記固定部に対して回転可能な円筒形の可動部を有する円筒形ワークを回転操作する方法であって、
前記ロボットが、前記円筒形ワークを取り扱うロボットハンドと、前記ロボットハンドの動作を制御する制御装置と、を備え、前記ロボットハンドが、一組の指部と、前記一組の指部のうち少なくとも１つに設けられる回転機構と、を備え、前記回転機構が、前記可動部を回転させるための動力を発生する回転アクチュエータを有し、
前記制御装置が、
前記一組の指部で前記固定部を挟むことにより前記円筒形ワークを前記一組の指部で把持するよう当該一組の指部を制御し、
前記回転アクチュエータを動作させることによって、前記回転アクチュエータにより発生される動力で前記可動部を前記固定部に対して回転させ、且つ
前記回転アクチュエータを動作させて前記可動部を回転させるときに、前記回転アクチュエータの電流値、前記回転アクチュエータの回転角度、又は、前記回転アクチュエータの回転角度の制御指令値と現在値との偏差に応じて前記可動部の動作が正常であるか否かを検査する、ロボットによるワーク回転操作方法。
【手続補正２】
【補正対象書類名】明細書
【補正対象項目名】発明の名称
【補正方法】変更
【補正の内容】
【発明の名称】ロボットハンド、ロボット及びロボットによるワーク回転操作方法
【手続補正書】
【提出日】平成28年12月15日(2016.12.15)
【手続補正１】
【補正対象書類名】特許請求の範囲
【補正対象項目名】全文
【補正方法】変更
【補正の内容】
【特許請求の範囲】
【請求項１】
光入射部から被測定部位に近赤外光を入射する光入射ステップと、
光検出部において、前記被測定部位の内部を伝搬した前記近赤外光の光強度を検出する光検出ステップと、
前記光検出部での検出結果に基づく近赤外分光計測法によって求められる、前記被測定部位の酸素化ヘモグロビン濃度、総ヘモグロビン濃度、及び、前記酸素化ヘモグロビン濃度若しくは前記総ヘモグロビン濃度に応じて増減する第１のパラメータのうち少なくとも一つの数値から褐色脂肪組織量に関する指標値を算出する演算ステップと
を備えることを特徴とする、褐色脂肪組織の測定方法。
【請求項２】
前記演算ステップにおいて、体脂肪量に関する第２のパラメータと前記少なくとも一つの数値若しくは測定感度との相関を表すデータを使用して、前記少なくとも一つの数値に含まれる前記体脂肪量による影響が低減するように補正した数値を、前記褐色脂肪組織量に関する指標値とすることを特徴とする、請求項１に記載の褐色脂肪組織の測定方法。
【請求項３】
光入射部から被測定部位に近赤外光を入射する光入射ステップと、
光検出部において、前記被測定部位の内部を伝搬した前記近赤外光の光強度を検出する光検出ステップと、
前記光検出部での検出結果に基づく近赤外分光計測法によって求められる、前記被測定部位の散乱係数及び脱酸素化ヘモグロビン濃度のうち少なくとも一方から褐色脂肪組織量に関する指標値を算出する演算ステップと
を備えることを特徴とする、褐色脂肪組織の測定方法。
【請求項４】
被測定部位に近赤外光を入射する光入射部と、
前記被測定部位の内部を伝搬した前記近赤外光の光強度を検出する光検出部と、
前記光検出部での検出結果に基づく近赤外分光計測法によって求められる、前記被測定部位の酸素化ヘモグロビン濃度、総ヘモグロビン濃度、及び、前記酸素化ヘモグロビン濃度若しくは前記総ヘモグロビン濃度に応じて増減する第１のパラメータのうち少なくとも一つの数値から褐色脂肪組織量に関する指標値を算出する演算部と
を備えることを特徴とする、褐色脂肪組織の測定装置。
【請求項５】
体脂肪量に関する第２のパラメータと前記少なくとも一つの数値若しくは測定感度との相関を表すデータを記憶しておく記憶部を更に備え、
前記演算部は、前記データを使用して、前記少なくとも一つの数値に含まれる前記体脂肪量による影響が低減するように補正した数値を、前記褐色脂肪組織量に関する指標値とすることを特徴とする、請求項４に記載の褐色脂肪組織の測定装置。
【請求項６】
被測定部位に近赤外光を入射する光入射部と、
前記被測定部位の内部を伝搬した前記近赤外光の光強度を検出する光検出部と、
前記光検出部での検出結果に基づく近赤外分光計測法によって求められる、前記被測定部位の散乱係数及び脱酸素化ヘモグロビン濃度のうち少なくとも一方から褐色脂肪組織量に関する指標値を算出する演算部と
を備えることを特徴とする、褐色脂肪組織の測定装置。
【請求項７】
前記演算部が、前記指標値と閾値とを比較することにより、褐色脂肪組織量が陰性及び陽性の何れであるかを判別することを特徴とする、請求項４〜６のいずれか一項に記載の褐色脂肪組織の測定装置。
【手続補正書】
【提出日】平成29年3月21日(2017.3.21)
【手続補正１】
【補正対象書類名】特許請求の範囲
【補正対象項目名】全文
【補正方法】変更
【補正の内容】
【特許請求の範囲】
【請求項１】
被検体に放射線を発生する放射線発生部と、前記放射線発生部を支持するアーム部と、前記アーム部を支持する支柱とを備える放射線発生用装置であって、
前記アーム部は第１のアームと第２のアームとを有し、
前記支柱と前記第１のアームとは第１の可動関節を介して、前記第１のアームと前記第２のアームとは第２の可動関節を介してそれぞれ回動可能に接続されており、
前記第１の可動関節における前記第１のアームの回動に応じて、前記第２の可動関節における前記第２のアームの回動を制限する制限機構を備えることを特徴とする放射線発生用装置。
【請求項２】
前記制限機構は、前記放射線発生用装置の重心バランスが維持されるように前記第２の可動関節における前記第２のアームの回動を制限することを特徴とする請求項１に記載の放射線発生用装置。
【請求項３】
前記支柱を支持する支持脚と、
前記第１の可動関節での前記第１のアームの回動に応じて前記支柱を前記支持脚上で移動させる移動機構と
をさらに備えることを特徴とする請求項１または２に記載の放射線発生用装置。
【請求項４】
前記第１の可動関節または第２の可動関節が所定の外力未満の力では回動しないように抗力を生成するブレーキ機構をさらに備えることを特徴とする請求項１乃至３の何れか１項に記載の放射線発生用装置。
【請求項５】
前記放射線発生部から照射される放射線の照射野を制御する放射線絞り部をさらに備え、
前記第２の可動関節での前記第２のアームの回動に応じて前記放射線絞り部が回転することを特徴とする請求項１乃至４の何れか１項に記載の放射線発生用装置。
【請求項６】
前記第２の可動関節での前記第２のアームの回動に応じて、前記放射線絞り部が前記被検体に対して一定の向きを維持するように前記放射線絞り部が回転することを特徴とする請求項５に記載の放射線発生用装置。
【請求項７】
前記アーム部は前記支柱に向かって折り畳み可能であることを特徴とする請求項１乃至６の何れか１項に記載の放射線発生用装置。
【請求項８】
前記第２の可動関節に設けられた第１の部材および第２の部材と、
前記第２のアームに設けられた第３の部材とをさらに備え、
前記制限機構は、前記第３の部材が前記第１の部材と接触する位置と、前記第３の部材が前記第２の部材と接触する位置との間で、前記第２のアームが前記第１のアームに対して回動可能であるように制限することを特徴とする請求項１乃至７の何れか１項に記載の放射線発生用装置。
【請求項９】
前記制限機構は、前記第１の可動関節での前記第１のアームの回動に応じて前記第１の部材および第２の部材の位置を制御することによって、前記第２の可動関節での前記第２のアームの回動を制限することを特徴とする請求項８に記載の放射線発生用装置。
【請求項１０】
前記第１の可動関節の回転を前記第２の可動関節の回転へ伝達する伝達機構をさらに備えることを特徴とする請求項１乃至９の何れか１項に記載の放射線発生用装置。
【請求項１１】
前記伝達機構はタイミングベルト、チェーンまたはワイヤーであることを特徴とする請求項１０に記載の放射線発生用装置。
【請求項１２】
被検体に放射線を発生する放射線発生部と、前記放射線発生部を支持するアーム部と、
前記アーム部を支持する支柱とを備える放射線発生用装置であって、
前記アーム部は第１のアームと第２のアームとを有し、
前記支柱と前記第１のアームとは第１の可動関節を介して、前記第１のアームと前記第２のアームとは第２の可動関節を介してそれぞれ回動可能に接続されており、
前記放射線発生部が所定の範囲内に配置されるように、前記第１のアーム及び第２のアームの回動を制限する制限機構を備えることを特徴とする放射線発生用装置。
【請求項１３】
前記所定の範囲は重心バランス範囲であることを特徴とする請求項１２に記載の放射線発生用装置。
【請求項１４】
被検体に放射線を発生する放射線発生部と、前記放射線発生部を支持するアーム部と、
前記アーム部を支持する支柱とを備える放射線発生用装置であって、
前記アーム部は第１のアームと第２のアームとを有し、
前記支柱と前記第１のアームとは第１の可動関節を介して、前記第１のアームと前記第２のアームとは第２の可動関節を介してそれぞれ回動可能に接続されており、
前記第２の可動関節における前記第２のアームの回動に応じて、前記第１の可動関節における前記第１のアームの回動を制限する制限機構を備えることを特徴とする放射線発生用装置。
【請求項１５】
前記第１の可動関節における回動角度と前記第２の可動関節における回動角度との合計が所定の範囲であることを特徴とする請求項１４に記載の放射線発生用装置。
【請求項１６】
前記合計は９０度であることを特徴とする請求項１５に記載の放射線発生用装置。
【請求項１７】
請求項１乃至１６の何れか１項に記載の放射線発生用装置と、
前記被検体を透過した放射線を検出する放射線検出器と
を備えることを特徴とする放射線撮影システム。
【手続補正２】
【補正対象書類名】明細書
【補正対象項目名】０００９
【補正方法】変更
【補正の内容】
【０００９】
上記の目的を達成する本発明に係る放射線発生用装置は、
被検体に放射線を発生する放射線発生部と、前記放射線発生部を支持するアーム部と、前記アーム部を支持する支柱とを備える放射線発生用装置であって、
前記アーム部は第１のアームと第２のアームとを有し、
前記支柱と前記第１のアームとは第１の可動関節を介して、前記第１のアームと前記第２のアームとは第２の可動関節を介してそれぞれ回動可能に接続されており、
前記第１の可動関節における前記第１のアームの回動に応じて、前記第２の可動関節における前記第２のアームの回動を制限する制限機構を備えることを特徴とする。
【手続補正書】
【提出日】平成29年9月6日(2017.9.6)
【手続補正１】
【補正対象書類名】特許請求の範囲
【補正対象項目名】全文
【補正方法】変更
【補正の内容】
【特許請求の範囲】
【請求項１】
先端部を備えるチューブ状の挿入部を有する内視鏡装置であって、
前記先端部は、発光装置と、光学装置と、を備え、
前記光学装置は、前記先端部の先端面に配置され、
前記発光装置は、前記先端部の側面に沿って設けられた、
内視鏡装置。
【請求項２】
請求項１において、
前記発光装置は、面発光を発する、
内視鏡装置。
【請求項３】
請求項１または請求項２において、
前記光学装置は、撮像素子、または光ファイバーである、
内視鏡装置。
【請求項４】
請求項１乃至請求項３のいずれか一において、
前記発光装置は、前記先端部の前記先端面の一部を覆って設けられた、
内視鏡装置。
【請求項５】
請求項１乃至請求項４のいずれか一において、
前記光学装置を介して得られる像に対して、動画像を観察する第１のモードと、静止画像を撮影する第２のモードとを有し、
前記第１のモードのとき、前記発光装置から発光輝度が１００ｃｄ／ｃｍ２以上１００００ｃｄ／ｃｍ２未満の光を連続的に、または断続的に発し、
前記第２のモードのとき、前記発光装置から発光輝度が１００００ｃｄ／ｃｍ２以上５０００００ｃｄ／ｃｍ２以下の光をシャッタースピードに同期させて発する、
内視鏡装置。
【請求項６】
請求項１乃至請求項５のいずれか一において、
前記発光装置は、発光性の有機化合物を含む発光素子を備える、
内視鏡装置。
【手続補正書】
【提出日】平成29年6月5日(2017.6.5)
【手続補正１】
【補正対象書類名】特許請求の範囲
【補正対象項目名】全文
【補正方法】変更
【補正の内容】
【特許請求の範囲】
【請求項１】
対象物に対して送信された超音波についての超音波エコーを受信信号として受信する受信処理部と、
前記受信された受信信号から前記超音波エコーのハーモニック成分を抽出するハーモニック処理部と、
前記抽出されたハーモニック成分の値に応じて異ならせた重みを用いて、前記抽出されたハーモニック成分を重み付き加算する信号処理部と、
前記重み付き加算された信号に基づいて画像を生成する画像生成部と、を有することを特徴とする超音波測定装置。
【請求項２】
請求項１に記載の超音波測定装置であって、
前記受信処理部は、複数のチャンネルを有する超音波素子アレイを介して、前記超音波エコーを前記チャンネル毎の受信信号として受信し、
前記ハーモニック処理部は、前記チャンネル毎に、当該チャンネルの受信信号から前記ハーモニック成分を抽出し、
前記信号処理部は、前記抽出されたチャンネル毎のハーモニック成分の値に応じて、前記チャンネル毎の重みを異ならせ、前記抽出されたチャンネル毎のハーモニック成分を重み付き加算する、
ことを特徴とする超音波測定装置。
【請求項３】
請求項２に記載の超音波測定装置であって、
前記信号処理部は、前記抽出されたチャンネル毎のハーモニック成分に対して、チャンネルに応じたディレイ処理を行い、前記ディレイ処理後の前記チャンネル毎のハーモニック成分の値に応じて、前記チャンネル毎の重みを異ならせる、
ことを特徴とする超音波測定装置。
【請求項４】
請求項３に記載の超音波測定装置であって、
前記信号処理部は、前記ディレイ処理後の前記チャンネル毎のハーモニック成分について、前記複数のチャンネルで構成される開口から複数のサブ開口を取り出して空間平均法を行い、前記チャンネル毎の重みを求める、
ことを特徴とする超音波測定装置。
【請求項５】
請求項２乃至４のうちいずれか一項に記載の超音波測定装置であって、
前記チャンネル毎の受信信号に対して、又は、前記チャンネル毎のハーモニック成分に対して、フィルター処理を行うことによりノイズ除去を行うフィルター処理部、を有することを特徴とする超音波測定装置。
【請求項６】
請求項１乃至５のうちいずれか一項に記載の超音波測定装置であって、
前記受信処理部は、前記対象物に対して送信された、所定の周波数における位相差が１８０°の２つの超音波についての超音波エコーを受信信号として受信し、
前記ハーモニック処理部は、前記所定の周波数における位相差が１８０°の２つの超音波についての超音波エコーの受信信号を加算することで、前記ハーモニック成分を抽出する、
ことを特徴とする超音波測定装置。
【請求項７】
請求項１乃至５のうちいずれか一項に記載の超音波測定装置であって、
前記ハーモニック処理部は、フィルター処理を行うことにより前記ハーモニック成分を抽出する、
ことを特徴とする超音波測定装置。
【請求項８】
対象物に対して送信された超音波についての超音波エコーに基づく受信信号から前記超音波エコーのハーモニック成分を抽出するステップと、
前記抽出されたハーモニック成分の値に応じて異ならせた重みを用いて、前記抽出されたハーモニック成分を重み付き加算するステップと、
前記重み付き加算された信号に基づいて画像を生成するステップと、を含むことを特徴とする画像生成方法。
【手続補正２】
【補正対象書類名】明細書
【補正対象項目名】発明の名称
【補正方法】変更
【補正の内容】
【発明の名称】超音波測定装置及び画像生成方法
【手続補正書】
【提出日】平成29年9月19日(2017.9.19)
【手続補正１】
【補正対象書類名】特許請求の範囲
【補正対象項目名】全文
【補正方法】変更
【補正の内容】
【特許請求の範囲】
【請求項１】
ビークルのための分散される電力及び通信のシステムであって、
前記システムは、
一緒に結合される複数のビークルのセクションであって、前記複数のビークルのセクションのうちの隣接するビークルのセクションは、１以上のセクション区切りを画定する、複数のビークルのセクション、及び
複数のモジュール装置センター（ＭＥＣ）であって、そのうちの少なくとも１つのＭＥＣが前記複数のビークルのセクションのうちの各々のビークルのセクション中に置かれるように、前記ビークルの中全体において空間的に分散され、各々のビークルのセクションは、前記少なくとも１つのＭＥＣのうちの１つのＭＥＣの近傍にある１以上の装置負荷の区域を画定するＭＥＣ、を備え、
前記複数のＭＥＣのうちの各々は、
装置負荷の関連する区域の範囲内において装置負荷を担うために、局所的な電力及び通信データを独立して提供し、
１以上の電源から１次電力を受け、かつ、
前記装置負荷の関連する区域の範囲内において、前記装置負荷を担うための２次電力を独立して提供するために、前記１次電力の局所的な電力変換を実行するように構成され、
前記１次電力は、各々のビークルのセクションの中に置かれる前記少なくとも１つのＭＥＣが前記１次電力を受けるように、１以上のセクション区切りを横断して分散される、システム。
【請求項２】
各々のＭＥＣは、１次及び２次の両方の電力を分散するように構成される、請求項１に記載のシステム。
【請求項３】
前記ＭＥＣのうちの１つは、前記ビークルの前記セクション区切りを横断して高い電圧のＡＣ電力を分散する予備のＭＥＣである、請求項１に記載のシステム。
【請求項４】
各々のＭＥＣは、高い電圧の電力を他のＭＥＣに分散するための１次電力バスを備える、請求項１又は２に記載のシステム。
【請求項５】
少なくとも１つの１次電源をさらに備え、
前記複数のＭＥＣのうちの一部分は１次ＭＥＣであり、前記１次電源からの１次電力は前記１次ＭＥＣの間で分散され、
１次電力は、電力が他の１次ＭＥＣで失われた場合に、１つの１次ＭＥＣから別の１次ＭＥＣへ送られる、請求項１、２又は４のいずれか一項に記載のシステム。
【請求項６】
前記ＭＥＣのうちの少なくとも１つは、航空機の機体の側壁の中に置かれる、請求項１、２、４又は５のいずれか一項に記載のシステム。
【請求項７】
前記ＭＥＣのうちの少なくとも１つは、航空機の乗客用及び積荷用のコンパートメント間のフロアの中に置かれる、請求項１、２、４、５又は６のいずれか一項に記載のシステム。
【請求項８】
複数のビークルのセクションを備え、かつ前記複数のビークルのセクションのうちの隣接するビークルのセクションの間の１以上のセクション区切りを画定する、ビークルの中全体に電力及び通信データを分散するための方法であって、前記方法は、
前記１以上のセクション区切りを横断して、複数のモジュール装置センター（ＭＥＣ）へ、１以上の主要な電源により発電された１次電力を分散することであって、前記複数のＭＥＣのうちの少なくとも１つのＭＥＣが前記複数のビークルのセクションのうちの各々のビークルのセクション中に置かれ、各々のビークルのセクションの範囲内の１以上の装置負荷のうちの各々が前記少なくとも１つのＭＥＣのうちの一番近いＭＥＣに関連付けられる、分散すること、
前記複数のＭＥＣを用いて、関連する装置負荷を担うために各々のそれぞれのビークルのセクションの範囲内においてのみ２次電力を分散すること、及び、
前記複数のＭＥＣの間で、ビークル全体の負荷管理を達成するために通信することを含む、方法。
【手続補正書】
【提出日】平成28年12月22日(2016.12.22)
【手続補正１】
【補正対象書類名】特許請求の範囲
【補正対象項目名】全文
【補正方法】変更
【補正の内容】
【特許請求の範囲】
【請求項１】
醪を仕込む仕込み工程と、醪を発酵させる発酵工程と、を包含する糖質低減清酒の製造方法であって、
前記仕込み工程における掛米及び麹米の合計重量（ｋｇ）に対する汲水の合計容量（Ｌ）の百分率と、前記発酵工程における掛米及び麹米の合計重量（ｋｇ）に対する追水の合計容量（Ｌ）の百分率との合計が２００％以上となるように、前記汲水及び前記追水を添加するとともに、前記追水の添加を醪の発酵初期段階までに行う糖質低減清酒の製造方法。
【請求項２】
前記発酵工程において、前記醪の発酵初期段階は醪日数１０日目までである請求項１に記載の糖質低減清酒の製造方法。
【請求項３】
前記仕込み工程における掛米及び麹米の合計重量（ｋｇ）に対する汲水の合計容量（Ｌ）の百分率と、前記発酵工程における掛米及び麹米の合計重量（ｋｇ）に対する追水の合計容量（Ｌ）の百分率との合計が２００％である請求項１又は２に記載の糖質低減清酒の製造方法。
【請求項４】
前記仕込み工程における掛米及び麹米の合計重量（ｋｇ）に対する汲水の合計容量の百分率が１４０％であり、前記発酵工程における掛米及び麹米の合計重量に対する追水の合計容量の百分率が６０％である請求項１〜３の何れか一項に記載の糖質低減清酒の製造方法。
【請求項５】
醪を仕込む仕込み工程と、醪を発酵させる発酵工程と、を包含する糖質低減清酒の製造方法であって、
前記仕込み工程において、掛米及び麹米の合計重量（ｋｇ）に対する汲水の合計容量（Ｌ）の百分率が２００％以上となるように、前記汲水を添加する糖質低減清酒の製造方法。
【請求項６】
糖質が２．３２ｇ/ｄＬ以下であって、カプロン酸エチルが５ｍｇ/Ｌ以上である清酒。
【請求項７】
糖質が１．１１ｇ/ｄＬ以下である請求項６に記載の清酒。
【請求項８】
アルコール度数１６．９５％換算である請求項６又は７に記載の清酒。
【手続補正２】
【補正対象書類名】明細書
【補正対象項目名】発明の名称
【補正方法】変更
【補正の内容】
【発明の名称】糖質低減清酒の製造方法、及び清酒
【手続補正書】
【提出日】平成29年7月3日(2017.7.3)
【手続補正１】
【補正対象書類名】特許請求の範囲
【補正対象項目名】全文
【補正方法】変更
【補正の内容】
【特許請求の範囲】
【請求項１】
所定の領域を遊技球が通過することに基づいて、遊技者に有利な特別遊技を行うか否かの判定を行う特別遊技判定手段と、
前記判定の結果に基づいて、当該判定の結果を報知するための演出パターンを決定する演出パターン決定手段と、
前記演出パターン決定手段により決定された演出パターンに基づいて、所定の演出を実行する演出実行手段と、
前記所定の領域に対する遊技球の通過状態に応じたレベルの信号を出力するスイッチ手段と、
前記スイッチ手段により出力される信号に基づいて、予め定められた間隔で繰り返し実行される反復処理により、前記所定の領域を遊技球が通過したか否かを判定する判定手段とを備え、
前記判定手段は、
前記スイッチ手段により出力された信号のレベルが所定の閾値レベルよりも第１方向に位置すると判定する第１判定、又は、当該信号のレベルが当該所定の閾値レベルまたは当該所定の閾値レベルよりも前記第１方向と反対の第２方向に位置すると判定する第２判定を行う信号レベル判定手段と、
第ｎ（ｎは自然数）回目の反復処理における１回の前記第１判定が行われてから第ｎ＋１回目の反復処理において前記第２判定が行われると、当該第ｎ＋１回目の反復処理において更に判定が行われ、当該判定が前記第２判定である場合に、前記所定の領域を遊技球が通過したと判定する通過判定手段とを有し、
前記演出パターン決定手段は、
少なくとも前記特別遊技が行われる可能性が高いことを示す第１の演出パターンと前記特別遊技が行われないことを示す第２の演出パターンとを決定可能である、遊技機。
【請求項２】
前記演出実行手段は、
前記演出パターン決定手段により前記第１の演出バターンが決定されたとき、前記特別遊技が行われる可能性が高いことを示唆する特定演出に発展することを煽る煽り演出の後に前記特定演出に発展させる第１演出を実行可能であり、
前記演出パターン決定手段により前記第２の演出パターンが決定されたとき、前記煽り演出の後に前記特定演出に発展させない第２演出を実行可能である、請求項１に記載の遊技機。
【請求項３】
前記第２の演出パターンは、少なくとも通常演出パターンと特別演出パターンとを含み、
前記演出パターン決定手段により前記通常演出パターンが決定されたときよりも前記特別演出パターンが決定されたときの方が、前記第２演出が実行され易い、請求項２に記載の遊技機。
【手続補正２】
【補正対象書類名】明細書
【補正対象項目名】０００７
【補正方法】変更
【補正の内容】
【０００７】
本発明の一局面に係る遊技機（１）は、
所定の領域を遊技球が通過することに基づいて、遊技者に有利な特別遊技を行うか否かの判定を行う特別遊技判定手段（１００）と、
前記判定の結果に基づいて、当該判定の結果を報知するための演出パターンを決定する演出パターン決定手段（１００）と、
前記演出パターン決定手段により決定された演出パターンに基づいて、所定の演出を実行する演出実行手段（４００，５００）と、
前記所定の領域に対する遊技球の通過状態に応じたレベルの信号を出力するスイッチ手段（近接スイッチ）と、
前記スイッチ手段により出力される信号に基づいて、予め定められた間隔で繰り返し実行される反復処理（タイマ割込み処理）により、前記所定の領域を遊技球が通過したか否かを判定する判定手段とを備え、
前記判定手段は、
前記スイッチ手段により出力された信号のレベルが所定の閾値レベル（通過判定閾値のレベル）よりも第１方向（ＯＦＦ方向）に位置すると判定する第１判定（ＯＦＦ判定）、又は、当該信号のレベルが当該所定の閾値レベルまたは当該所定の閾値レベルよりも前記第１方向と反対の第２方向（ＯＮ方向）に位置すると判定する第２判定（ＯＮ判定）を行う信号レベル判定手段と、
第ｎ（ｎは自然数）回目の反復処理における１回の前記第１判定が行われてから第ｎ＋１回目の反復処理において前記第２判定が行われると、当該第ｎ＋１回目の反復処理において更に判定が行われ、当該判定が前記第２判定である場合に、前記所定の領域を遊技球が通過したと判定する通過判定手段とを有し（図５ご参照）、
前記演出パターン決定手段は、
少なくとも前記特別遊技が行われる可能性が高いことを示す第１の演出パターンと前記特別遊技が行われないことを示す第２の演出パターンとを決定可能である（図１３〜図１７ご参照）。
【手続補正書】
【提出日】平成29年7月3日(2017.7.3)
【手続補正１】
【補正対象書類名】特許請求の範囲
【補正対象項目名】全文
【補正方法】変更
【補正の内容】
【特許請求の範囲】
【請求項１】
所定の領域を遊技球が通過することに基づいて、遊技者に有利な特別遊技を行うか否かの特別遊技判定を行う特別遊技判定手段と、
所定の演出を実行する演出実行手段と、
前記特別遊技判定が行われる前に、前記特別遊技を行うか否かの事前判定を行う事前判定手段と、
前記所定の領域に対する遊技球の通過状態に応じたレベルの信号を出力するスイッチ手段と、
前記スイッチ手段により出力される信号に基づいて、予め定められた間隔で繰り返し実行される反復処理により、前記所定の領域を遊技球が通過したか否かを判定する判定手段とを備え、
前記判定手段は、
前記スイッチ手段により出力された信号のレベルが所定の閾値レベルよりも第１方向に位置すると判定する第１判定、又は、当該信号のレベルが当該所定の閾値レベルまたは当該所定の閾値レベルよりも前記第１方向と反対の第２方向に位置すると判定する第２判定を行う信号レベル判定手段と、
第ｎ（ｎは自然数）回目の反復処理における１回の前記第１判定が行われてから第ｎ＋１回目の反復処理において前記第２判定が行われると、当該第ｎ＋１回目の反復処理において更に判定が行われ、当該判定が前記第２判定である場合に、前記所定の領域を遊技球が通過したと判定する通過判定手段とを有し、
前記演出実行手段は、
前記特別遊技判定の結果に基づいて、当該特別遊技判定の結果を示唆する第１演出を実行するときと、前記事前判定の結果に基づいて、当該事前判定の結果を示唆する第２演出を実行するときとがある、遊技機。
【請求項２】
前記特別遊技判定の結果に基づいて、前記第１演出の演出パターンを決定する演出パターン決定手段を更に備え、
前記演出パターン決定手段は、
少なくとも前記特別遊技が行われる可能性が高いことを示す第１の演出パターンと前記特別遊技が行われないことを示す第２の演出パターンとを決定可能であり、
前記演出実行手段は、
前記演出パターン決定手段により前記第１の演出パターンが決定されたとき、前記第１演出において、前記特別遊技が行われる可能性が高いことを示唆する特定演出を実行可能であり、
前記演出パターン決定手段により前記第２の演出パターンが決定されたとき、前記特定演出を実行しないで前記第２演出を実行可能である、請求項１に記載の遊技機。
【請求項３】
前記第２の演出パターンは、少なくとも通常演出パターンと特別演出パターンとを含み、
前記演出パターン決定手段により前記通常演出パターンが決定されたときよりも前記特別演出パターンが決定されたときの方が、前記第２演出が実行され易い、請求項２に記載の遊技機。
【手続補正２】
【補正対象書類名】明細書
【補正対象項目名】０００７
【補正方法】変更
【補正の内容】
【０００７】
本発明の一局面に係る遊技機（１）は、
所定の領域を遊技球が通過することに基づいて、遊技者に有利な特別遊技を行うか否かの特別遊技判定を行う特別遊技判定手段（１００）と、
所定の演出を実行する演出実行手段（４００、５００）と、
前記特別遊技判定が行われる前に、前記特別遊技を行うか否かの事前判定を行う事前判定手段（１００）と、
前記所定の領域に対する遊技球の通過状態に応じたレベルの信号を出力するスイッチ手段（近接スイッチ）と、
前記スイッチ手段により出力される信号に基づいて、予め定められた間隔で繰り返し実行される反復処理（タイマ割込み処理）により、前記所定の領域を遊技球が通過したか否かを判定する判定手段とを備え、
前記判定手段は、
前記スイッチ手段により出力された信号のレベルが所定の閾値レベル（通過判定閾値のレベル）よりも第１方向（ＯＦＦ方向）に位置すると判定する第１判定（ＯＦＦ判定）、又は、当該信号のレベルが当該所定の閾値レベルまたは当該所定の閾値レベルよりも前記第１方向と反対の第２方向（ＯＮ方向）に位置すると判定する第２判定（ＯＮ判定）を行う信号レベル判定手段と、
第ｎ（ｎは自然数）回目の反復処理における１回の前記第１判定が行われてから第ｎ＋１回目の反復処理において前記第２判定が行われると、当該第ｎ＋１回目の反復処理において更に判定が行われ、当該判定が前記第２判定である場合に、前記所定の領域を遊技球が通過したと判定する通過判定手段とを有し（図５ご参照）、
前記演出実行手段は、
前記特別遊技判定の結果に基づいて、当該特別遊技判定の結果を示唆する第１演出を実行するときと、前記事前判定の結果に基づいて、当該事前判定の結果を示唆する第２演出を実行するときとがある（図３２、３３ご参照）。
【手続補正書】
【提出日】平成29年9月29日(2017.9.29)
【手続補正１】
【補正対象書類名】特許請求の範囲
【補正対象項目名】全文
【補正方法】変更
【補正の内容】
【特許請求の範囲】
【請求項１】
所定条件の成立により図柄を変動表示させ、該図柄が当り図柄で停止表示することで大入賞口を開放させる当り遊技を実行し、前記当り遊技中に大入賞口に遊技球が入球することで所定の利益を付与する遊技機であって、
前記当り遊技中に行うラウンドにて大入賞口を開放させる動作として、大入賞口を所定時間開放させる短開放動作と、大入賞口を前記所定時間よりも長い時間に亘って開放させる長開放動作とを有し、
前記短開放動作とするラウンドを行ってから前記長開放動作とするラウンドを行う特定大当り遊技を実行可能であり、
前記特定大当り遊技を複数設け、
複数の前記特定大当り遊技では、前記長開放動作を行うラウンド回数が異なるよう構成されており、
複数の前記特定大当り遊技のいずれかの実行中において、前記短開放動作とするラウンドが行われる期間から前記長開放動作とするラウンドが行われる期間へ移行する際には、前記長開放動作を行う残りラウンド回数が報知される残りラウンド確定表示演出が実行されるよう構成される
ことを特徴とする遊技機。
【手続補正２】
【補正対象書類名】明細書
【補正対象項目名】０００６
【補正方法】変更
【補正の内容】
【０００６】
上記目的を達成するため、本発明の遊技機は、
所定条件の成立により図柄を変動表示させ、該図柄が当り図柄で停止表示することで大入賞口を開放させる当り遊技を実行し、前記当り遊技中に大入賞口に遊技球が入球することで所定の利益を付与する遊技機であって、
前記当り遊技中に行うラウンドにて大入賞口を開放させる動作として、大入賞口を所定時間開放させる短開放動作と、大入賞口を前記所定時間よりも長い時間に亘って開放させる長開放動作とを有し、
前記短開放動作とするラウンドを行ってから前記長開放動作とするラウンドを行う特定大当り遊技を実行可能であり、
前記特定大当り遊技を複数設け、
複数の前記特定大当り遊技では、前記長開放動作を行うラウンド回数が異なるよう構成されており、
複数の前記特定大当り遊技のいずれかの実行中において、前記短開放動作とするラウンドが行われる期間から前記長開放動作とするラウンドが行われる期間へ移行する際には、前記長開放動作を行う残りラウンド回数が報知される残りラウンド確定表示演出が実行されるよう構成される
ことを特徴とする。
【手続補正書】
【提出日】平成29年9月29日(2017.9.29)
【手続補正１】
【補正対象書類名】特許請求の範囲
【補正対象項目名】全文
【補正方法】変更
【補正の内容】
【特許請求の範囲】
【請求項１】
遊技球を検知する検知手段と、
前記検知手段での遊技球の検知に基づいて取得される取得情報を記憶する取得情報記憶手段と、
前記取得情報記憶手段に記憶されている取得情報に基づいて行われる判定の結果が特定結果になると、遊技者にとって有利な特定遊技を実行する特定遊技実行手段と、
前記取得情報記憶手段に取得情報が記憶されていることを示す記憶情報を表示する記憶情報表示部と、
を有する遊技機において、
時間の経過を示すタイマー情報を表示可能なタイマー情報表示部と、
前記変化情報表示部に表示される情報が前記終了態様となる特定情報となった場合に、特定演出を実行可能な演出実行手段と、
を備え、
前記特定演出は、前記記憶情報表示部における記憶情報の表示態様を変化させる演出であり、
前記判定の結果が前記特定結果となる可能性を示唆する示唆演出を実行可能であり、
前記記憶情報表示部には、複数の記憶情報を表示可能とされ、
前記特定演出では、前記記憶情報表示部に表示されている記憶情報のうち、前記判定の結果が前記特定結果となる可能性として、高い可能性を示唆する示唆演出が行われる取得情報を示す記憶情報の表示態様を変化させるよう構成されており、
前記取得情報記憶手段に記憶されている取得情報のうちに特定の取得情報が存在している場合、当該特定の取得情報の存在に基づき前記タイマー情報が表示され、且つ、当該表示されたタイマー情報のカウント終了に伴って前記特定演出が実行された際には、当該特定の取得情報に対応する記憶情報の表示態様を変化させるよう構成されている
ことを特徴とする遊技機。
【手続補正２】
【補正対象書類名】明細書
【補正対象項目名】０００７
【補正方法】変更
【補正の内容】
【０００７】
上述した課題の少なくとも一部を解決するために、本発明の第１の遊技機は次の構成を採用した。すなわち、
遊技球を検知する検知手段と、
前記検知手段での遊技球の検知に基づいて取得される取得情報を記憶する取得情報記憶手段と、
前記取得情報記憶手段に記憶されている取得情報に基づいて行われる判定の結果が特定結果になると、遊技者にとって有利な特定遊技を実行する特定遊技実行手段と、
前記取得情報記憶手段に取得情報が記憶されていることを示す記憶情報を表示する記憶情報表示部と、
を有する遊技機において、
時間の経過を示すタイマー情報を表示可能なタイマー情報表示部と、
前記変化情報表示部に表示される情報が前記終了態様となる特定情報となった場合に、特定演出を実行可能な演出実行手段と、
を備え、
前記特定演出は、前記記憶情報表示部における記憶情報の表示態様を変化させる演出であり、
前記判定の結果が前記特定結果となる可能性を示唆する示唆演出を実行可能であり、
前記記憶情報表示部には、複数の記憶情報を表示可能とされ、
前記特定演出では、前記記憶情報表示部に表示されている記憶情報のうち、前記判定の結果が前記特定結果となる可能性として、高い可能性を示唆する示唆演出が行われる取得情報を示す記憶情報の表示態様を変化させるよう構成されており、
前記取得情報記憶手段に記憶されている取得情報のうちに特定の取得情報が存在している場合、当該特定の取得情報の存在に基づき前記タイマー情報が表示され、且つ、当該表示されたタイマー情報のカウント終了に伴って前記特定演出が実行された際には、当該特定の取得情報に対応する記憶情報の表示態様を変化させるよう構成されている
ことを特徴とする。
【手続補正書】
【提出日】平成29年5月8日(2017.5.8)
【手続補正１】
【補正対象書類名】特許請求の範囲
【補正対象項目名】全文
【補正方法】変更
【補正の内容】
【特許請求の範囲】
【請求項１】
（ａ）損傷細胞の細胞外空間に露出されているホスファチジルセリンに結合特異性を有する標的化ドメイン、ここで該標的化ドメインはアネキシン、またはそれらの断片である；および
（ｂ）組織の細胞表面に関する増殖因子受容体に結合特異性を有する活性化ドメインであって、該活性化ドメインが該増殖因子受容体にさらされると、組織の再生または生存を調節するように該活性化ドメインが該増殖因子受容体に結合する；
を含む二重特異的融合タンパク質。
【請求項２】
活性化ドメインが、線維芽細胞増殖因子、ニューレグリン／ヘレグリン、インスリン様成長因子、肝細胞増殖因子、血管内皮増殖因子、間質細胞由来因子、血小板由来増殖因子、テラトカルシノーマ由来増殖因子、マスト細胞／幹細胞増殖因子、高親和性神経成長因子、ＢＤＮＦ／Ｎ−３増殖因子、ＮＴ−３増殖因子、骨形態形成タンパク質、それらの変異体、それらのアイソフォーム、それらの断片およびそれらの組合せからなる群から選択される、請求項１に記載の融合タンパク質。
【請求項３】
標的化ドメインが、１０−６Ｍから１０−１２Ｍの範囲の解離定数Ｋｄで、標的分子と結合する、請求項１に記載の融合タンパク質。
【請求項４】
アネキシンが、ホスファチジルセリン結合親和性を維持している間、アネキシンの内在化を減少させるように改質されたものである、請求項１に記載の融合タンパク質。
【請求項５】
融合タンパク質が、細胞動員、アポトーシスの抑制、および／または、細胞増殖の誘導を促進する、請求項１に記載の融合タンパク質。
【請求項６】
融合タンパク質が、細胞の損傷を防ぎ、細胞の成長を促進し、幹細胞の運動性を促進し、幹細胞の分化を促進する、請求項１に記載の融合タンパク質。
【請求項７】
組織が、心臓組織または腎組織、骨、軟骨、間接、皮膚、肝組織、膵臓組織、血球、肺組織、または神経組織である、請求項１に記載の融合タンパク質。
【請求項８】
活性化ドメインがＮＲＧ１ｂｅｔａ、ＩＧＦ１、ＳＤＦ−１、ＩＬ−３３、それらの変異体、それらのアイソフォーム、それらの断片およびそれらの組み合わせからなる群から選択される、請求項１に記載の融合タンパク質。
【請求項９】
医薬上好適な担体および治療上有効量の請求項１〜８のいずれか１項に記載の融合タンパク質を含む、医薬組成物。
【請求項１０】
さらに幹細胞を含む、請求項９に記載の医薬組成物。
【請求項１１】
組織再生を調節するように、対象の組織損傷を治療するための、請求項９または１０に記載の医薬組成物。
【請求項１２】
請求項１〜８のいずれか１項に記載の融合タンパク質をコードする核酸分子。
【手続補正書】
【提出日】平成29年3月17日(2017.3.17)
【手続補正１】
【補正対象書類名】特許請求の範囲
【補正対象項目名】全文
【補正方法】変更
【補正の内容】
【特許請求の範囲】
【請求項１】
第VII因子（FVII）およびトランスフェリンを含む融合タンパク質であって、前記トランスフェリンが、前記FVIIのＣ-末端に連結され、前記FVIIのＣ-末端と前記トランスフェリンとの間に制限酵素認識配列を含み、前記FVIIと前記トランスフェリンとの間にリンカーを含み、前記融合タンパク質が、融合していない天然型FVIIと比較して１．０以上のFVII比活性を有する、融合タンパク質。
【請求項２】
前記FVIIが、配列番号１のアミノ酸配列により表されるポリペプチドまたはその機能的等価物であって、前記機能的等価物がFVIIの血液凝固活性を有し、配列番号１により表されるアミノ酸配列と９５％以上の配列同一性を有する、請求項１に記載の融合タンパク質。
【請求項３】
前記トランスフェリンが、配列番号２のアミノ酸配列により表されるポリペプチド、または配列番号２により表されるアミノ酸配列と９５％以上の配列同一性を有し、FVIIとの融合タンパク質となることにより前記FVIIの半減期を延長するポリペプチドである、請求項１に記載の融合タンパク質。
【請求項４】
前記リンカーが、１〜１００個のアミノ酸からなる、請求項１に記載の融合タンパク質。
【請求項５】
前記リンカーが、１〜７５個のアミノ酸からなる、請求項１に記載の融合タンパク質。
【請求項６】
前記リンカーが、５〜２５個のアミノ酸からなる、請求項１に記載の融合タンパク質。
【請求項７】
制限酵素認識部位から翻訳された１個以上のアミノ酸が、前記リンカーの一端または両端に存在する、請求項１に記載の融合タンパク質。
【請求項８】
前記リンカーが、配列番号３〜１１のアミノ酸配列の何れか一つにより表されるペプチドである、請求項１に記載の融合タンパク質。
【請求項９】
前記リンカーが、プロテアーゼ切断部位を含み、前記プロテアーゼ切断部位が、トロンビン、第Xa因子、第IXa因子および第VIIa因子からなる群より選択されるプロテアーゼにより切断され得る、請求項１に記載の融合タンパク質。
【請求項１０】
前記リンカーが、配列番号１２のアミノ酸配列により表されるペプチドである、請求項９に記載の融合タンパク質。
【請求項１１】
請求項１〜１０の何れか１項に記載の融合タンパク質をコードするＤＮＡ。
【請求項１２】
前記ＤＮＡが、配列番号１３〜２４の塩基配列の何れか一つにより表される、請求項１１に記載のＤＮＡ。
【請求項１３】
請求項１１に記載のＤＮＡを含む組換えベクター。
【請求項１４】
請求項１３に記載の組換えベクターを含む宿主細胞。
【請求項１５】
ＣＨＯ細胞、ＢＨＫ２１細胞、ＨＥＫ２９３細胞およびＨｅｐ  Ｇ２細胞からなる群より選択される、請求項１４に記載の宿主細胞。
【手続補正書】
【提出日】平成29年3月31日(2017.3.31)
【手続補正１】
【補正対象書類名】特許請求の範囲
【補正対象項目名】全文
【補正方法】変更
【補正の内容】
【特許請求の範囲】
【請求項１】
各々が識別可能な複数種類の識別情報を変動表示可能な可変表示部を備え、
前記可変表示部を変動表示した後、前記可変表示部の変動表示を停止することで表示結果を導出し、該表示結果に応じて入賞が発生可能なスロットマシンにおいて、
所定表示結果と、特典の付与に関する特定表示結果と、再遊技を付与する特殊表示結果とを含む複数種類の表示結果のうち導出を許容する表示結果を決定する事前決定手段と、
遊技者が表示結果を導出させるために操作する導出操作手段と、
前記導出操作手段への操作に応じて表示結果を導出させる制御を行なう導出制御手段と、
通常状態よりも有利な特別状態に制御する特別状態制御手段と、
前記特殊表示結果の導出を許容する確率が前記通常状態よりも高い所定確率である特定状態に制御する特定状態制御手段とを備え、
前記特別状態制御手段は、前記特定状態中に前記特別状態に制御可能であり、
前記事前決定手段は、前記特定状態中に制御された前記特別状態においても、前記所定確率で前記特殊表示結果の導出を許容し、
前記スロットマシンは、前記特定状態中に前記特別状態に制御されたときは前記通常状態中に前記特別状態に制御されたときよりも高い確率で前記特殊表示結果の導出を許容することにより、前記特定状態中に前記特別状態に制御されたときは前記通常状態中に前記特別状態に制御されたときよりも高い確率で前記特定表示結果を導出させるように制御し、
前記特別状態中は前記通常状態中よりも、前記特定表示結果の導出を許容する確率と前記所定表示結果の導出を許容する確率との合算した確率に対して前記特定表示結果の導出を許容する確率が占める割合が高いことを特徴とする、スロットマシン。
【手続補正２】
【補正対象書類名】明細書
【補正対象項目名】０００１
【補正方法】変更
【補正の内容】
【０００１】
本発明は、たとえば、スロットマシンに関する。詳しくは、各々が識別可能な複数種類の識別情報を変動表示可能な可変表示部を備え、前記可変表示部を変動表示した後、前記可変表示部の変動表示を停止することで表示結果を導出し、該表示結果に応じて入賞が発生可能なスロットマシンに関する。
【手続補正３】
【補正対象書類名】明細書
【補正対象項目名】０００９
【補正方法】変更
【補正の内容】
【０００９】
（１）  各々が識別可能な複数種類の識別情報を変動表示可能な可変表示部を備え、
前記可変表示部を変動表示した後、前記可変表示部の変動表示を停止することで表示結果を導出し、該表示結果に応じて入賞が発生可能なスロットマシン（スロットマシン１）において、
所定表示結果と、特典の付与に関する特定表示結果と、再遊技を付与する特殊表示結果とを含む複数種類の表示結果のうち導出を許容する表示結果を決定する事前決定手段（内部抽選処理）と、
遊技者が表示結果を導出させるために操作する導出操作手段と、
前記導出操作手段への操作に応じて表示結果を導出させる制御を行なう導出制御手段（リール回転処理）と、
通常状態よりも有利な特別状態に制御する特別状態制御手段と、
前記特殊表示結果の導出を許容する確率が前記通常状態よりも高い所定確率である特定状態に制御する特定状態制御手段とを備え、
前記特別状態制御手段は、前記特定状態中に前記特別状態に制御可能であり、
前記事前決定手段は、前記特定状態中に制御された前記特別状態においても、前記所定確率で前記特殊表示結果の導出を許容し、
前記スロットマシンは、前記特定状態中に前記特別状態に制御されたときは前記通常状態中に前記特別状態に制御されたときよりも高い確率で前記特殊表示結果の導出を許容することにより、前記特定状態中に前記特別状態に制御されたときは前記通常状態中に前記特別状態に制御されたときよりも高い確率で前記特定表示結果を導出させるように制御し、
前記特別状態中は前記通常状態中よりも、前記特定表示結果の導出を許容する確率と前記所定表示結果の導出を許容する確率との合算した確率に対して前記特定表示結果の導出を許容する確率が占める割合が高い。
【手続補正４】
【補正対象書類名】明細書
【補正対象項目名】０５６３
【補正方法】変更
【補正の内容】
【０５６３】
また、ＲＴＣ５０が計時した値そのものをパターン決定に用いるものに限らず、ＲＴＣ５０が計時した値を間接的にパターン決定に用いるものであってもよい。たとえば、特定条件が成立してパターン決定を行なうタイミングから所定時間（たとえば５分）前に遡り、当該所定時間前から当該パターン決定を行なうタイミングに到達するまでの遊技結果（消化ゲーム数、メダル増減数、小役取りこぼし率（目押し成功率）など）に基づき、パターン決定を行なうものであってもよい。この場合、メイン制御部４１は、所定時間内の遊技結果をＲＡＭ４１ｃに格納するようにし、所定時間が経過した遊技結果を随時消去するようにしてもよい。これにより、所定時間内の遊技結果のみをＲＡＭ４１ｃに格納しておけば足りるため、極端に記憶容量を増大させる必要がない。
【手続補正書】
【提出日】平成29年3月30日(2017.3.30)
【手続補正１】
【補正対象書類名】特許請求の範囲
【補正対象項目名】全文
【補正方法】変更
【補正の内容】
【特許請求の範囲】
【請求項１】
各々が識別可能な複数種類の識別情報を変動表示可能な可変表示部に表示結果を導出させることが可能な可変表示装置を備える遊技機であって、
前記遊技機に関する情報を表示するための表示パネルと、
前記表示パネルを背面側から照射可能な照明装置と、
前記表示パネルを設置するために前記可変表示部よりも下方位置に設けられ、前方に突出して形成された表示パネル設置部と、
を備え、
前記表示パネルは、下部から上部に向けて前記遊技機の奥行き側に傾斜するように設置され、
前記表示パネル設置部の左右側面には、前記遊技機の左右斜め前側から視認可能な発光部が設けられている
ことを特徴とする遊技機。
【手続補正２】
【補正対象書類名】明細書
【補正対象項目名】０００１
【補正方法】変更
【補正の内容】
【０００１】
本発明は、各々が識別可能な複数種類の識別情報を変動表示可能な可変表示領域に表示結果を導出させることが可能な可変表示装置を備える遊技機に関する。
【手続補正３】
【補正対象書類名】明細書
【補正対象項目名】０００７
【補正方法】変更
【補正の内容】
【０００７】
前記課題を解決するために、本発明の請求項１に記載の遊技機は、
各々が識別可能な複数種類の識別情報を変動表示可能な可変表示部に表示結果を導出させることが可能な可変表示装置を備える遊技機であって、
前記遊技機に関する情報を表示するための表示パネルと、
前記表示パネルを背面側から照射可能な照明装置と、
前記表示パネルを設置するために前記可変表示部よりも下方位置に設けられ、前方に突出して形成された表示パネル設置部と、
を備え、
前記表示パネルは、下部から上部に向けて前記遊技機の奥行き側に傾斜するように設置され、
前記表示パネル設置部の左右側面には、前記遊技機の左右斜め前側から視認可能な発光部が設けられている
ことを特徴としている。
本発明の手段１の遊技機は、
各々が識別可能な複数種類の識別情報（図柄）を変動表示可能な可変表示領域（透視窓３、透過領域５１ｂ）に表示結果を導出させることが可能な可変表示装置（リール２Ｌ、２Ｃ、２Ｒ）を備え、所定の遊技を行うことが可能な遊技機（スロットマシン１／パチンコ遊技機１０００）であって、
前記可変表示領域よりも下方位置に配設され、前記遊技機に関する情報（例えば、機種名やキャラクタ画像等）を表示する表示手段（タイトルパネル２１２／タイトルパネル１００５）を設置する情報表示手段設置部（タイトルパネル設置部２１０）を備え、
前記情報表示手段設置部は、
前記表示手段を下部から上部に向けて前記遊技機の奥行き側に傾斜するように設置可能である（図３、図８参照）
ことを特徴としている。
この特徴によれば、遊技者が遊技を行う際に最も注目される可変表示領域よりも下方位置に情報表示手段設置部が配設されていても、表示手段は上部が奥行き側に傾倒して設けられることで、表示手段の上方位置からの視認性が高まるため、遊技者は遊技を行いながら遊技に関する情報を目視することができる。また、遊技機の手前に着座していない遊技者からも見えやすくなるため、興味を引き付けることが可能となる。
尚、前記遊技機に関する情報とは、例えば、遊技機の機種名（タイトル）や型式、あるいは、遊技に関連する演出画像や演出部材、装飾図柄、役構成や大当り図柄の組合わせ等を含む。
また、前記表示手段は、前記遊技機に関する情報が表示されたパネルや表示装置、あるいは、フィギュア等の演出部材を含む。